(57)【要約】【課題】  本装置に接続される複数の電話機に対する呼出信号の出力増大を抑え、構成の簡素化および低コスト化が図れるようにする。【解決手段】  呼出信号生成部７は複数の電話機９、１１を鳴動させる呼出信号を生成する。接続切換部１７は呼出信号生成部７と電話機９、１１との間に挿入され呼出信号生成部７に対して順次選択的に切換え接続する。主制御部５は呼出信号生成部７における呼出信号出力を制御するとともに、呼出信号の出力時に電話機９、１１の接続が重ならないように接続切換部１７の切換えを制御する。【選択図】  図１
2008277951.tif 000002
【特許請求の範囲】
【請求項１】
複数の電話機と、
前記電話機を鳴動させる呼出信号を生成する呼出信号生成部と、
この呼出信号生成部と前記電話機との間に挿入され、前記呼出信号生成部側に対して前記電話機を順次選択的に切換え接続する接続切換部と、
前記呼出信号生成部における前記呼出信号出力を制御するとともに前記呼出信号の出力時に前記接続切換部を切換え制御する主制御部と、
を具備することを特徴とする電話機接続装置。
【請求項２】
前記主制御部は、前記電話機の接続が重ならないように切換え制御する請求項１記載の電話機接続装置。
【請求項３】
前記呼出信号生成部側に対する前記電話機の接続の有無を検出する電話機検出部を有し、前記主制御部は、接続されない前記電話機が検出されたとき当該電話機への動作を停止制御する請求項１又は２記載の電話機接続装置。
【請求項４】
前記主制御部は、前記接続切換部に対し、接続されない前記電話機への接続切換えを停止制御する請求項３記載の電話機接続装置。
【請求項５】
前記主制御部は、前記呼出信号生成部に対し、接続されない前記電話機への前記呼出信号の出力期間における出力動作を停止制御する請求項３記載の電話機接続装置。
【請求項６】
前記請求項１〜５いずれか１項記載の電話機接続装置を有するファクシミリ装置。
【発明の詳細な説明】
【技術分野】
【０００１】
本発明は電話機接続装置およびこれを有するファクシミリ装置に係り、特に電話機の接続が可能な電話接続装置およびこれを用いたファクシミリ装置の改良に関する。
【背景技術】
【０００２】
例えばファクシミリ装置においては、複数の電話機の接続が可能な構成が提供されており、着信時に、呼出信号生成部からそれら複数の電話機に対して呼出信号を出力して着信を知らせ、いずれの電話機からでも通話可能になっている。
【０００３】
なお、複数の電話機を接続可能にした構成として、例えば特開２０００−９２１９４号公報（特許文献１）がある。
【特許文献１】特開２０００−９２１９４号公報
【発明の開示】
【発明が解決しようとする課題】
【０００４】
しかしながら、上述した従来構成では、呼出信号生成部に複数の電話機が接続されるから、呼出信号生成部からみた電話機側のインピーダンスが小さくなって鳴動動作を確認し難くなり易いことから、電話機の接続数に対応して呼出信号生成部から出力する呼出信号の出力電力を上げたり可変することで対応していた。
【０００５】
そのため、呼出信号の出力電力を可変させるために呼出信号生成部の回路構成が複雑になったり、高耐圧、大電流定格の部品が必要となってコスト高を招き易い難点があった。
【０００６】
本発明はそのような課題を解決するためになされたもので、本装置に接続される複数の電話機に対する呼出信号の出力増大を抑え、構成の簡素化および低コスト化の可能な電話機接続装置およびこれを有するファクシミリ装置の提供を目的とする。
【課題を解決するための手段】
【０００７】
そのような課題を解決するために本発明に係る電話機接続装置は、複数の電話機と、これら電話機を鳴動させる呼出信号を生成する呼出信号生成部と、この呼出信号生成部と前記電話機との間に挿入され呼出信号生成部側に対してそれら電話機を順次選択的に切換え接続する接続切換部と、その呼出信号生成部における呼出信号出力を制御するとともに呼出信号の出力時にその接続切換部を切換え制御する主制御部とを具備している。
【０００８】
本発明の電話機接続装置では、それら電話機の接続が重ならないように上記主制御部が切換え制御する構成も可能である。
【０００９】
本発明の電話機接続装置では、上記呼出信号生成部側に対する電話機の接続の有無を検出する電話機検出部を有し、接続されない電話機が検出されたとき上記主制御部が当該電話機への動作を停止制御する構成も可能である。
【００１０】
本発明の電話機接続装置では、上記主制御部が、その接続切換部に対し、接続されない電話機への接続切換えを停止制御する構成も可能である。
【００１１】
本発明の電話機接続装置では、上記主制御部が、その呼出信号生成部に対し、接続されない電話機への呼出信号の出力期間における出力動作を停止制御する構成も可能である。
【００１２】
本発明は、それら電話機接続装置を有してファクシミリ装置を構成することが可能である。
【発明の効果】
【００１３】
このような本発明に係る電話機接続装置およびこれを有するファクシミリ装置では、複数の電話機を鳴動させる呼出信号を呼出信号生成部が生成し、この呼出信号生成部と電話機との間に接続切換部を挿入して呼出信号生成部側に対してそれら電話機を順次選択的に切換え接続し、主制御部が呼出信号生成部における呼出信号出力を制御するとともに呼出信号の出力時にその接続切換部を切換え制御するから、複数の電話機に対する呼出信号の出力増大を抑え、構成の簡素化および低コスト化が可能となる。
【００１４】
本発明において、それら電話機の接続が重ならないように切換え制御する構成では、確実に呼出信号の出力増大を抑え、個々の電話機の鳴動動作を区別確認することが容易である。
【００１５】
本発明において、上記呼出信号生成部側に対する電話機の接続の有無を検出する電話機検出部を有し、接続されない電話機が検出されたとき当該電話機への動作を停止制御する構成、例えば、接続されない電話機への接続切換えを停止制御したり、接続されない電話機への呼出信号の出力期間における出力動作を停止制御する構成では、上記呼出信号生成部側での省電力化が可能である。
【発明を実施するための最良の形態】
【００１６】
以下、本発明の実施の形態を図面を参照して説明する。
【００１７】
図１は本発明に係る電話接続装置を含むファクシミリ装置の実施の一形態を示す概略ブロック図である。
【００１８】
図１において、電話回線１は、公衆回線又は専用回線等の従来公知の通信回線であり、本発明に係るファクシミリ装置の主要部をなすファクシミリ通信部３に接続されている。なお、ファクシミリ通信部３は図においてＦＡＸ通信部と略称する。
【００１９】
ファクシミリ通信部３は、図示しない発呼側から電話回線１を介して伝送された着信信号の検出に基づいて動作開始し、その後のファクシミリ通信を制御するものであり、主制御部５等に接続されている。
【００２０】
ファクシミリ通信部３は、電話回線１からの着信信号の検出部、ファクシミリ送受信を行うためのファクシミリ信号復号化部、ファクシミリ信号符号化部、ファクシミリ送信原稿読取部、ファクシミリ受信画像印刷部等にも接続されてそれらを制御するが、本発明の要部ではないから説明および図示を省略する。
【００２１】
主制御部５は、ＣＰＵ、このＣＰＵの動作プログラムを格納したＲＯＭ、入出力インターフェース部を有して形成されており、ファクシミリ通信部３からの着信信号に基づきこの受信期間中、呼出信号生成部７に対する呼出信号の生成を指示する機能を有している。主制御部５のその他の機能は後述する。
【００２２】
呼出信号生成部７は呼出信号を生成し、後述する２台の電話機（１）９および電話機（２）１１側に対して呼出信号を出力する機能、電話機９、１１のオフフック検出機能を有する公知のものであり、電話機９、１１に関するオフフック検出信号を主制御部５に出力する機能も有している。
【００２３】
呼出信号生成部７と電話機９、１１の間には、切換部１３、電話機検出部１５および接続切換部１７が挿入接続されている。
【００２４】
切換部１３は、可動接点側が電話回線１と呼出信号生成部７に接続され、固定接点側が電話機検出部１５に接続された２回路２接点構成のリレー等の機械的スイッチ又は半導体スイッチ等の無接点スイッチであり、電話回線１と呼出信号生成部７とを選択的に切換える機能を有し、待機時は可動接点が呼出信号生成部７を選択している。
【００２５】
切換部１３は、呼出信号生成部７からのオフフック検出信号に基づき主制御部５により、可動接点が呼出信号生成部７から電話回線１に切換え制御されるようになっており、そのオフフック検出信号の遮断によって可動接点が呼出信号生成部７に戻るようになっている。
【００２６】
電話機検出部１５は、例えば図２に示すように、一方の回線に挿入された双方向性発光ダイオード１９ａと、所定の電源Ｖｃｃに一端が接続された抵抗Ｒとアース間に挿入された受光トランジスタ１９ｂからなるフォトカプラ１９で形成されている。
【００２７】
呼出信号生成部７と電話機９、１１の間に信号が流れると、発光ダイオード１９ａが発光して受光トランジスタ１９ｂで受光され、電源Ｖｃｃから抵抗Ｒおよび受光トランジスタ１９ｂを介して電流がアースに流れて抵抗Ｒの他端の電圧ＶｏｕｔがＨレベルからＬレベルに低下する。
【００２８】
そのため、他端の電圧Ｖｏｕｔのレベルが主制御部５で検出され、呼出信号生成部７と電話機９、１１間に流れる信号の有無を介して電話機９、１１の呼出信号生成部７に対する接続の有無が主制御部５にて検出される。
【００２９】
接続切換部１７は、固定接点側が電話機検出部１５に接続され、可動接点側が電話機９、１１に接続された２回路２接点構成のリレー等の機械的スイッチ又は半導体スイッチ等の無接点スイッチであり、主制御部５によって制御されている。
【００３０】
接続切換部１７に接続された電話機９、１１は、呼出信号に基づきこの期間中だけブザーやベルが鳴動する構成を有する従来公知の通話用のものであるから、詳細な説明は省略する。
【００３１】
主制御部５は、上述したように呼出信号生成部７からのオフフック検出信号の出力期間中、切換部１３を電話回線１側を選択するよう切換え制御する機能を有している。
【００３２】
主制御部５は、予め接続された電話機９、１１の接続個数が設定されており、例えば図３に示すように、呼出信号生成部７から呼出信号を出力制御している期間中、電話機９、１１とを交互に選択的に切換える制御する機能を有し、待機時は可動接点が例えば電話機９を選択している。
【００３３】
主制御部５は、電話機９、１１が呼出信号生成部７に接続されたタイミングで呼出信号生成部７に対する電話機９、１１の非接続状態を検出したとき、非接続状態が検出された電話機９、１１に対して呼出信号が印加されないよう制御する機能を有している。
【００３４】
主制御部５は、例えば、呼出信号生成部７に対し、接続されない電話機９、１１への呼出信号の出力期間における出力動作を停止制御する機能や、接続された電話機９、１１側に接続固定するよう接続切換部１７を制御する機能を有している。
【００３５】
次に、本発明に係るファクシミリ装置の動作を簡単に説明する。
【００３６】
電話回線１から着信があると、ファクシミリ通信部３がそれを検出し、これに基づき主制御部５が呼出信号生成部７の呼出信号の生成を制御し、図３に示すように、呼出信号生成部７が呼出信号を切換部１３および電話機検出部１５を介して接続切換部１７に出力する。
【００３７】
主制御部５は、呼出信号生成部７からの呼出信号の出力期間を電話機９、１１の接続個数で分割した期間で接続切換部１７を切換え制御し、電話機９、１１を交互に呼出信号生成部７側に接続切換える。
【００３８】
そのため、呼出信号が交互に電話機９、１１に加えられ、同時に鳴動することなく電話機９、１１が交互に鳴動する。
【００３９】
また、電話機検出部１５が電話機９、１１の非接続状態を検出したとき、主制御部５は、非接続状態が検出された電話機９、１１を選択しないよう接続切換部１７を制御したり、呼出信号生成部７に対し当該接続されない電話機９、１１への出力期間における呼出信号の出力を停止制御する。
【００４０】
そのため、非接続状態が検出された電話機９、１１に対しては、呼出信号が出力されなかったり印加されない。
【００４１】
なお、電話機９、１１の鳴動動作に基づきユーザが電話機９、１１をオフフックした場合には、呼出信号生成部７がそれを検知して主制御部５および切換部１３の動作を介して電話機９、１１が電話回線１に接続されて通話可能状態となるのは従来の構成と同様である。
【００４２】
このように本発明のファクシミリ装置では、複数の電話機９、１１を鳴動させる呼出信号を生成する呼出信号生成部７と、この呼出信号生成部７と電話機９、１１との間に挿入され呼出信号生成部７に対して順次選択的に切換え接続する接続切換部１７と、その呼出信号生成部７における呼出信号出力を制御するとともに、呼出信号の出力時に電話機９、１１の接続が重ならないように接続切換部１７の切換えを制御する主制御部５とを具備している。
【００４３】
そのため、複数の電話機９、１１を呼出信号生成部７に接続しても、呼出信号を出力する際に呼出信号生成部７に接続される電話機９、１１が１個となってインピーダンスの低下が避けられ、呼出信号生成部７から出力する呼出信号レベルを高める必要がなくなり、呼出信号レベルを可変したり調整することなく鳴動作を行うことが可能である。
【００４４】
しかも、呼出信号生成部７には高耐圧、大電流定格の部品を使用する必要もないから、コスト低減を図ることも容易であるし、呼出信号の出力時に電話機９、１１の接続が重ならないようにしたから、鳴動による電話機９、１１の特定や確認が容易である。
【００４５】
さらに、呼出信号生成部７側に対する電話機９、１１の接続の有無を電話機検出部１５で検出し、接続されない電話機９、１１への接続切換えを停止制御したり、接続されない電話機９、１１への呼出信号の出力期間における出力動作を停止制御すると、この点からも高耐圧、大電流定格の部品を使用する必要がないから、コスト低減を図ることも容易であるうえ、呼出信号生成部７における省電力化が容易である。
【００４６】
上述した構成のファクシミリ装置は、２個の電話機９、１１を接続して切換える構成であったが、本発明はこれに限定されない。
【００４７】
すなわち、接続する電話機は複数個で任意であり、例えば図４に示すように、上述した構成の接続切換部１７に対し、３個の電話機（１）９、電話機（２）１１および電話機（３）２１を接続した構成では、図５に示すように、呼出信号の出力期間を電話機９、１１、２１の個数（３）で分割した期間で、主制御部５が接続切換部１７を順次切換え制御する構成も可能である。
【００４８】
上述した本発明に係る説明では、電話接続装置を含むファクシミリ装置を実施の一形態としたが、本発明の電話接続装置はファクシミリ装置以外にも種々の電子機器に搭載することが可能である。
【００４９】
もっとも、主に、通話機能を併用し易いファクシミリ装置に搭載すると有用である。
【図面の簡単な説明】
【００５０】
【図１】本発明に係る電話機接続装置を含むファクシミリ装置の実施の一形態を示す概略ブロック図である。
【図２】図１のファクシミリ装置の電話機検出部の一例を示す回路図である。
【図３】図１のファクシミリ装置の動作を説明する波形図である。
【図４】本発明に係る電話機接続装置を含むファクシミリ装置の他の実施の一形態を示す概略ブロック図である。
【図５】図４のファクシミリ装置の動作を説明する波形図である。
【符号の説明】
【００５１】
１  回線（電話回線）
３  ファクシミリ通信部
５  主制御部
７  呼出信号生成部
９、１１、２１  電話機
１３  切換部
１５  電話機検出部
１７  接続切換部
１９  フォトカプラ
１９ａ  発光ダイオード
１９ｂ  受光トランジスタ
【図１】
2008277951.tif 000003
【図２】
2008277951.tif 000004
【図３】
2008277951.tif 000005
【図４】
2008277951.tif 000006
【図５】
2008277951.tif 000007